(57)【要約】【課題】被験者の生体情報をより正確に解析することができる生体情報測定システムを提供する。【解決手段】被験者によりスタートボタンが操作されると（ステップ♯１でＹＥＳ）、制御部は、ＧＰＳ部に現在位置の測定動作を行わせ（ステップ♯２）、酸素飽和度の測定動作を行わせる（ステップ♯３）。そして、制御部は、測定動作により得られた酸素飽和度の情報を現在位置の情報と対応付けて記憶部に記録する（ステップ♯４）。そして、制御部は、ストップボタンが操作されたか否かを判断し（ステップ♯５）、ストップボタンが操作されていない場合には（ステップ♯５でＮＯ）、ステップ♯２の処理に戻る一方、ストップボタンが操作された場合には（ステップ♯５でＹＥＳ）、一連の処理を終了する。【選択図】図９
2008167818.tif 000002
【特許請求の範囲】
【請求項１】
予め決められた生体情報を測定する測定部と、
前記測定部により測定される生体情報に由来する生体信号に基づき、生体情報に係るデータを導出する導出部と、
電波を用いて前記測定部の現在の位置情報を取得する位置情報取得部と、
前記生体信号又は前記導出部により導出された生体情報に係るデータと、前記位置情報取得部により取得された位置情報とを関連付けて記憶する記憶部と
を備える生体情報測定装置。
【請求項２】
前記位置情報取得部による位置情報の取得動作を制御する位置情報取得制御部を備え、
前記位置情報取得部は、前記位置情報取得制御部からの指示にしたがって位置情報の取得動作を行う請求項１に記載の生体情報測定装置。
【請求項３】
前記位置情報取得制御部は、前記測定部の測定期間、前記位置情報取得部に対して繰り返し位置情報の取得動作を行わせ、
前記記憶部は、前記位置情報取得部により取得された各位置情報を、当該位置情報の取得動作に略同期して前記生体信号又は前記導出部により導出された生体情報に係るデータに関連付けて記憶する請求項２に記載の生体情報測定装置。
【請求項４】
前記記憶部に予め位置情報を記憶させる指示を入力するための入力操作部と、
前記位置情報取得部により取得された位置情報が前記入力操作部を用いて前記記憶部に予め記憶された位置情報と一致するか否かを判断する判断部と、
前記判断部により前記両位置情報が一致すると判断されたとき、前記測定部に測定動作を行わせる測定制御部とを備え、
前記記憶部は、前記位置情報取得部による取得動作で得られた位置情報を、前記判断部により前記両位置情報が一致すると判断されたときに得られた前記生体信号又は生体情報に係るデータに関連付けて記憶する請求項２に記載の生体情報測定装置。
【請求項５】
前記位置情報取得制御部は、生体信号又は前記導出部により導出された生体情報に係るデータが予め定められた状態となったとき、前記位置情報取得部に前記位置情報の取得動作を行わせ、
前記記憶部は、その取得動作で得られた位置情報を、前記予め定められた状態となった生体信号又は生体情報に係るデータに関連付けて記憶する請求項２に記載の生体情報測定装置。
【請求項６】
前記測定部は、複数種類の生体情報を測定可能とされており、
前記記憶部は、前記位置情報取得部により得られる位置情報と前記生体情報の種類との対応関係を予め記憶し、
前記位置情報取得部により位置情報が取得されると、該位置情報に対応する生体情報の種類を前記記憶部の記憶内容から導出し、その導出した種類の生体情報の測定動作を前記測定部に行わせる測定制御部を備え、
前記記憶部は、その測定部の測定動作により得られた生体信号又は該生体信号に基づき導出された生体情報に係るデータに、前記位置情報取得部による取得動作で得られた位置情報を関連付けて記憶する請求項２に記載の生体情報測定装置。
【請求項７】
前記位置情報取得制御部は、前記測定部による生体情報の測定期間、前記位置情報取得部に対して繰り返し位置情報の取得動作を行わせ、
前記測定部による生体情報の測定動作中において、前記位置情報取得部により得られた第１、第２の位置情報と、該第１、第２の位置情報の取得タイミングの時間差とに基づき、該第１、第２の位置情報が示す第１、第２の位置間における前記測定部の移動速度を算出する移動速度算出部を備え、
前記記憶部は、前記移動速度算出部の算出動作により得られた移動速度情報を、前記第１、第２の位置情報が得られた期間に得られた生体信号又は生体情報に係るデータに関連付けて記憶する請求項２に記載の生体情報測定装置。
【請求項８】
請求項１ないし７のいずれかに記載の生体情報測定装置と、
前記記憶部に記憶された生体信号又は生体情報に係るデータと該データに関連付けられた位置情報とに対して予め定められた解析内容の解析処理を行う解析部と、
前記解析部による解析結果を表示する表示部と
を備える生体情報測定システム。
【発明の詳細な説明】
【技術分野】
【０００１】
本発明は、動脈血の酸素飽和度や脈拍数等の生体情報を測定する生体情報測定装置及び生体情報測定システムに関するものである。
【背景技術】
【０００２】
睡眠時無呼吸症候群（ＳＡＳ）やＣＯＰＤ（慢性閉塞性肺疾患）の検査において、パルスオキシメータと呼ばれる装置が使用されることがある。パルスオキシメータは、被験者の所定の生体部位に装着される測定部を有し、該測定部において前記生体部位に向けて光を出力し、生体部位を透過又は反射した光の光量に基づいて血中の酸素飽和度（ＳｐＯ２）を導出するように構成されている。
【０００３】
また、パルスオキシメータは、予め所定のプログラムが組み込まれた例えばパーソナルコンピュータと通信可能に構成されており、例えばそのパーソナルコンピュータは、一晩の睡眠時の酸素飽和度のデータがパルスオキシメータから提供されると、前記プログラムにより、この平均値に基づいて例えば酸素飽和度の変化や単位時間当たりの酸素飽和度の低下の回数を表す睡眠時無呼吸指数（Oxygen Desaturation Index  ＯＤＩ）を導出する。
【０００４】
一方、下記特許文献１には、心臓血管系の状態を測定するＥＣＧ測定構成を備え、該ＥＣＧ測定構成により得られた前記心臓血管系の状態を示すデータが得られると、このデータとともにＧＰＳ（全地球測位システム）により測定対象者の位置を医療専門家に伝送することが記載されている。
【特許文献１】特表２００５−５３８７８４号公報
【発明の開示】
【発明が解決しようとする課題】
【０００５】
ところで、例えば、睡眠時であるのか入浴時であるのか、或いは歩行時であるのかなど、被験者の行動態様や居場所に応じて被験者の生体の状態は異なる。したがって、測定時における被験者の行動態様や居場所を知ることができれば、被験者の生体情報をより正確に解析することができると考えられる。
【０００６】
本発明は、上述した問題点を解決するためになされたものであり、被験者の生体情報をより正確に解析することができる生体情報測定装置及び生体情報測定システムを提供することを目的とする。
【課題を解決するための手段】
【０００７】
請求項１に記載の発明は、予め決められた生体情報を測定する測定部と、前記測定部により測定される生体情報に由来する生体信号に基づき、生体情報に係るデータを導出する導出部と、電波を用いて前記測定部の現在の位置情報を取得する位置情報取得部と、前記生体信号又は前記導出部により導出された生体情報に係るデータと、前記位置情報取得部により取得された位置情報とを関連付けて記憶する記憶部とを備える生体情報測定装置である。
【０００８】
この発明によれば、測定部の現在位置情報と生体信号又は生体情報に係るデータとが関連付けて記憶部に記憶されるようにしたので、生体信号又は生体情報に係るデータを取得した時点での測定部の位置情報を提供する構成を実現することができる。なお、測定部、導出部、位置情報取得部及び記憶部は、一体化された装置に搭載された形態であってもよいし、例えばこれらが別体化されたものであってもよい。
【０００９】
請求項２に記載の発明は、請求項１に記載の生体情報測定装置において、前記位置情報取得部による位置情報の取得動作を制御する位置情報取得制御部を備え、前記位置情報取得部は、前記位置情報取得制御部からの指示にしたがって位置情報の取得動作を行うものである。
【００１０】
この発明によれば、前記位置情報取得部による位置情報の取得動作を制御する位置情報取得制御部を備えたので、位置情報の取得動作を自動的に行う構成を実現することができる。
【００１１】
請求項３に記載の発明は、請求項２に記載の生体情報測定装置において、前記位置情報取得制御部は、前記測定部の測定期間、前記位置情報取得部に対して繰り返し位置情報の取得動作を行わせ、前記記憶部は、前記位置情報取得部により取得された各位置情報を、当該位置情報の取得動作に略同期して前記生体信号又は前記導出部により導出された生体情報に係るデータに関連付けて記憶するものである。
【００１２】
この発明によれば、測定部の測定期間、前記位置情報取得部により繰り返し位置情報の取得動作が行われ、それらの位置情報が、当該位置情報の取得動作に略同期して導出された前記生体信号又は生体情報に係るデータに関連付けて記憶部に記憶されるようにしたので、前記生体信号又は生体情報に係るデータを取得した時点での測定部の位置情報を詳細に提供する構成を実現することができる。
【００１３】
請求項４に記載の発明は、請求項２に記載の生体情報測定装置において、前記記憶部に予め位置情報を記憶させる指示を入力するための入力操作部と、前記位置情報取得部により取得された位置情報が前記入力操作部を用いて前記記憶部に予め記憶された位置情報と一致するか否かを判断する判断部と、前記判断部により前記両位置情報が一致すると判断されたとき、前記測定部に測定動作を行わせる測定制御部とを備え、前記記憶部は、前記位置情報取得部による取得動作で得られた位置情報を、前記判断部により前記両位置情報が一致すると判断されたときに得られた前記生体信号又は生体情報に係るデータに関連付けて記憶するものである。
【００１４】
この発明によれば、前記位置情報取得部により取得された位置情報が記憶部に予め登録された位置情報と一致する場合に、前記測定部により測定動作が行われ、前記位置情報取得部による取得動作で得られた位置情報が、判断部により前記両位置情報が一致すると判断されたときに得られた生体信号又は生体情報に係るデータに関連付けて記憶部に記憶されるようにしたので、特定の場所での生体信号又は生体情報に係るデータのみが得られる。
【００１５】
請求項５に記載の発明は、請求項２に記載の生体情報測定装置において、前記位置情報取得制御部は、生体信号又は前記導出部により導出された生体情報に係るデータが予め定められた状態となったとき、前記位置情報取得部に前記位置情報の取得動作を行わせ、前記記憶部は、その取得動作で得られた位置情報を、前記予め定められた状態となった、生体信号又は生体情報に係るデータに関連付けて記憶するものである。
【００１６】
この発明によれば、生体信号又は前記導出部により導出された生体情報が予め定められた状態となったとき、例えば生体信号又は前記生体情報に係るデータが異常な状態を示すものとなったとき、前記位置情報取得部により前記位置情報の取得動作が行われ、その取得動作で得られた位置情報が、前記予め定められた状態となった生体信号又は生体情報に係るデータに関連付けて記憶部に記憶されるようにしたので、前記生体信号又は生体情報に係るデータが予め定められた状態となったときの被験者の状態（居場所、環境、動作など）に関する情報を提供する構成を実現することができる。
【００１７】
請求項６に記載の発明は、請求項２に記載の生体情報測定装置において、前記測定部は、複数種類の生体情報を測定可能とされており、前記記憶部は、前記位置情報取得部により得られる位置情報と前記生体情報の種類との対応関係を予め記憶し、前記位置情報取得部により位置情報が取得されると、該位置情報に対応する生体情報の種類を前記記憶部の記憶内容から導出し、その導出した種類の生体情報の測定動作を前記測定部に行わせる測定制御部を備え、前記記憶部は、その測定部の測定動作により得られた生体信号又は該生体信号に基づき導出された生体情報に係るデータに、前記位置情報取得部による取得動作で得られた位置情報を関連付けて記憶するものである。
【００１８】
この発明によれば、測定部の位置情報が取得されると、該位置情報に対応する生体情報の種類が前記記憶部の記憶内容から導出され、その種類の生体情報の測定動作が前記測定部に行われ、その測定動作により得られた生体信号又は該生体信号に基づき導出された生体情報に係るデータと、前記測定制御部により導出された生体情報の種類とが関連付けて記憶部に記憶されるようにしたので、各測定場所に適した生体信号又は生体情報に係るデータを測定する構成を実現することができる。
【００１９】
請求項７に記載の発明は、請求項２に記載の生体情報測定装置において、前記位置情報取得制御部は、前記測定部による生体情報の測定期間、前記位置情報取得部に対して繰り返し位置情報の取得動作を行わせ、前記測定部による生体情報の測定動作中において、前記位置情報取得部により得られた第１、第２の位置情報と、該第１、第２の位置情報の取得タイミングの時間差とに基づき、該第１、第２の位置情報が示す第１、第２の位置間における前記測定部の移動速度を算出する移動速度算出部を備え、前記記憶部は、前記移動速度算出部の算出動作により得られた移動速度情報を、前記第１、第２の位置情報が得られた期間に得られた生体信号又は生体情報に係るデータに関連付けて記憶するものである。
【００２０】
この発明によれば、生体情報の測定動作中において、前記位置情報取得部により得られた第１、第２の位置情報と、該第１、第２の位置情報の取得タイミングの時間差とに基づき、該第１、第２の位置情報が示す第１、第２の位置間における測定部の移動速度が算出され、この移動速度情報が、前記第１、第２の位置情報が得られた期間に得られた生体信号又は生体情報に係るデータに関連付けて記憶部に記憶されるようにしたので、被験者の運動量と生体信号又は生体情報に係るデータとの関係を解析することが可能となる。
【００２１】
請求項８に記載の発明は、請求項１ないし７のいずれかに記載の生体情報測定装置と、前記記憶部に記憶された生体信号又は生体情報に係るデータと該データに関連付けられた位置情報とに対して予め定められた解析内容の解析処理を行う解析部と、前記解析部による解析結果を表示する表示部とを備える生体情報測定システムである。
【００２２】
この発明によれば、記憶部に記憶された前記位置情報と生体信号又は生体情報に係るデータとついての予め定められた解析内容に基づく解析結果を報知する構成を実現することができる。
【発明の効果】
【００２３】
請求項１に記載の発明によれば、生体信号又は生体情報に係るデータを取得したときの被験者の状態（居場所、環境、動作など）に関する情報を提供することができるため、医療専門家や被験者は、測定時における被験者の行動態様や居場所に基づいて被験者の生体情報をより正確に解析することができる。
【００２４】
請求項２に記載の発明によれば、位置情報の取得動作を自動的に行う構成を実現することができる。
【００２５】
請求項３に記載の発明によれば、生体信号又は生体情報に係るデータを取得した時点での測定部の位置情報を詳細に提供することができる。
【００２６】
請求項４に記載の発明によれば、特定の場所での生体信号又は生体情報に係るデータのみが得られるので、得られた生体信号又は生体情報に係るデータについて適切な解析を行うことができる。
【００２７】
請求項５に記載の発明によれば、生体信号又は生体情報に係るデータが予め定められた状態となったときの被験者の状態が提供されるので、得られた生体信号又は生体情報に係るデータについて適切な解析を行うことができる。
【００２８】
請求項６に記載の発明によれば、各測定場所に適した生体信号又は生体情報に係るデータが提供されるため、得られた生体信号又は生体情報に係るデータについて適切な解析を行うことができる。
【００２９】
請求項７に記載の発明によれば、被験者の運動量と生体信号又は生体情報に係るデータとの関係を解析することができるため、得られた生体信号又は生体情報に係るデータについて適切な解析を行うことができる。
【００３０】
請求項８に記載の発明によれば、記憶部に記憶された前記位置情報と生体信号又は生体情報に係るデータとついての予め定められた解析内容に基づく解析結果を報知することができるため、医療専門家や被験者は適切な診断や処理を行うことができる。
【発明を実施するための最良の形態】
【００３１】
以下、本発明の実施形態について説明する。図１に示すように、生体情報測定システム１は、生体情報測定装置２と、パーソナルコンピュータ（以下、ＰＣという）３とを備えて構成されている。
【００３２】
生体情報測定装置２は、本実施形態ではパルスオキシメータであり、例えば図２に示すように、箱型形状の装置本体４と、該装置本体４とケーブル５により電気的に接続された例えばキャップ状の測定部６とを備え、指先を測定対象部位として、図略の装着ベルトにより手首に装着される携帯性を備えた装置である。なお、説明の都合上、測定部６の構成から説明を行う。
【００３３】
測定部６は、所定の相対位置関係を有して対向配置された一対の発光部７及び受光部８（図２参照）を有し、発光部７は、例えば、赤色領域の波長λ１の赤色光Ｒを発光する発光ダイオード（ＬＥＤ）と、赤外線領域の波長λ２の赤外光ＩＲとを発光するＬＥＤとを備えた光源を含む。
【００３４】
受光部８は、受光した光の強度に応じた大きさの電流を生成する、例えばシリコンフォトダイオード（Silicon Photo Diode）等の光電変換素子を備えて構成されており、本実施形態では、少なくとも波長λ１の光と波長λ２の光とに対して感度を有する。受光部８は、生体組織ＬＢ（図２参照）を透過した発光部７からの波長λ１，λ２の光を受光する。
【００３５】
測定部６を被験者の指先に装着すると、該指先を発光部７と受光部８とで挟み込んだ状態となり、測定時には、発光部７から波長λ１の赤色光Ｒと波長λ２の赤外光ＩＲとが交互に射出され、受光部８により、発光部７の発光動作に同期して受光動作が行われる。発光部７の発光動作及び受光部８の受光動作は、後述の制御部１８により制御されるようになっており、各光についての投受光動作は、例えば１／４０〜１／３０（秒）の間のいずれかの周期で行われる。受光部８は、光を受光すると、受光した光の強度に応じた大きさの電流信号を後述する装置本体４内のＩ／Ｖ変換部１６に出力する。
【００３６】
装置本体４は、表示部９と、該表示部９に隣接して設置された入力操作部１０とを有し、例えば図略の装填室に装着されるバッテリーや乾電池等の電力供給源から電力供給を受けて駆動する。
【００３７】
表示部９は、例えばＬＣＤ（Liquid Crystal Display）、７セグメントＬＥＤ（Light Emitting Diode）や有機ホトルミネセンス表示装置やＣＲＴ（Cathode-Ray Tube）、あるいはプラズマ等の表示装置からなり、後述の制御部１８（図２参照）で算出された後述する酸素飽和度データ等を表示するものである。
【００３８】
入力操作部１０は、当該装置本体４の電源をＯＮ／ＯＦＦする電源ボタン、酸素飽和度の測定開始の指示を入力するためのスタートボタン、その測定終了の指示を入力するためのストップボタン等を有してなる。スタートボタンに対して操作がなされると、後述するＧＰＳ部２５（図２参照）により現在位置が緯度及び経度として算出され、該現在位置を示す情報が後述の記憶部２０（図２参照）に記憶される。
【００３９】
図１に戻り、ＰＣ３は、表示部１２と、入力操作部１３と、装置本体１４とを備える。表示部１２は、ＣＲＴ（Cathode-Ray Tube）、ＬＣＤ（Liquid Crystal Display）、ＰＤＰ（Plasma Display Panel）あるいはリアプロジェクター等からなり、生体情報測定装置２から送出されたデータや各種情報等の表示を行うものである。入力操作部１３は、後述の制御部２８（図８参照）等に所望の処理・動作を行わせる指示や各種情報を入力するためのものであり、例えばキーボードやマウスに相当する。装置本体１４は、通信部２６（図８参照）及び制御部２８が搭載されているとともに、各種のプログラムやデータを記憶する例えばハードディスク等からなる外部記憶部２７（図８参照）が備えられている。
【００４０】
本実施形態の生体情報測定システム１においては、生体情報測定装置２が通信線１１及び絶縁部１５を介してＰＣ３に通信可能に接続された場合に、生体情報測定装置２において取得した後述の酸素飽和度等のデータがＰＣ３に送出され、ＰＣ３において、受信した酸素飽和度のデータや該データに基づき導出される解析結果が表示部１２に表示される。絶縁部１５は、例えばフォトカプラ等で構成されており、電気信号を光信号に変換するものである。
【００４１】
図２は、生体情報測定装置２の電気的な構成を示すブロック図である。図２に示すように、生体情報測定装置２は、測定部６、表示部９、入力操作部１０、電流電圧変換部（以下、Ｉ／Ｖ変換部という）１６、アナログデジタル変換部（以下、Ａ／Ｄ変換部）１７、制御部１８、通信部１９及びＧＰＳ部２５を備える。
【００４２】
測定部６、表示部９及び入力操作部１０は、図１に示す測定部６、表示部９及び入力操作部１０に相当するものである。
【００４３】
Ｉ／Ｖ変換部１６は、例えば１／４０（秒）の周期で受光部８から出力される電流信号を電圧信号に変換し、この電圧信号を光電脈波信号としてＡ／Ｄ変換部１７に出力するものである。Ａ／Ｄ変換部１７は、Ｉ／Ｖ変換部１６から出力されたアナログの光電脈波信号をデジタルの光電脈波信号に変換し、このデジタルの光電脈波信号を制御部１８に出力するものである。
【００４４】
ＧＰＳ（Global Positioning System）部２５は、位置情報取得部の一例であり、人工衛星からの電波をもとに生体情報測定装置２の現在位置を緯度及び経度で算出する測位部である。
【００４５】
制御部１８は、マイクロプロセッサやＤＳＰ（Digital Signal Processor）などを備えて構成されており、後述の記憶部２０に格納されているデータやプログラムに従って、入力された光電脈波信号から動脈血中の酸素飽和度を演算するものである。制御部１８は、測定制御部２１と、バンドパスフィルタ部（以下、「ＢＰＦ部」と略記する）２２と、酸素飽和度演算部２３と、ＧＰＳ制御部２４と、記憶部２０とを有する。
【００４６】
測定制御部２１は、測定部６の発光部７及び受光部８の動作を制御するものであり、本実施形態では、波長λ１の赤色光Ｒ及び波長λ２の赤外光ＩＲをそれぞれ例えば１／４０（秒）の周期で発光部７から交互に射出させる。
【００４７】
ＢＰＦ部２２は、デジタルフィルタで構成されており、Ａ／Ｄ変換部１７によりＡ／Ｄ変換された光電脈波信号をフィルタリングするものである。なお、ＢＰＦ部２２は、デジタルローパスフィルタ及びデジタルハイパスフィルタから構成してもよいし、ＦＩＲ（Finite Impulse Response）フィルタで構成してもよい。
【００４８】
酸素飽和度演算部２３は、ＢＰＦ部２２によりフィルタリングされた光電脈波信号に基づいて、測定した各時点での酸素飽和度を算出する。ここで、酸素飽和度演算部２３による光を用いた血中酸素飽和度を導出する原理について説明する。
【００４９】
酸素は、血中のヘモグロビン（Ｈｂ）によって生体の各細胞に運搬され、ヘモグロビンは、肺で酸素と結合して酸化ヘモグロビン（ＨｂＯ２）となり、生体の細胞で酸素が消費されるとヘモグロビンに戻る。酸素飽和度ＳｐＯ２は、血中の酸化ヘモグロビンの割合をいい、ヘモグロビン濃度をＣＨｂ、酸化ヘモグロビン濃度をＣＨｂＯ２と表すと、下記数１で表される。
【００５０】
【数１】
2008167818.tif 000003
【００５１】
一方、ヘモグロビンの吸光度及び酸化ヘモグロビンの吸光度は、波長依存性を有しており、各吸光係数α（λ）は、図３に示すような吸光特性を有する。なお、図３の横軸は光の波長であり、単位はｎｍ、縦軸は、吸光係数であり、単位は１０−９ｃｍ２／ｍｏｌｅである。
【００５２】
図３に示すように、ヘモグロビン及び酸化ヘモグロビンは、吸光特性が異なる。ヘモグロビンは、赤色領域の波長λ１の赤色光Ｒに対して酸化ヘモグロビンよりも光を多く吸収するが、赤外線領域の波長λ２を超える赤外光ＩＲに対しては酸化ヘモグロビンよりも光の吸収が少ない。すなわち、例えば赤外光ＩＲの波長を酸化ヘモグロビンとヘモグロビンとの吸光係数差が最も大きい６６０ｎｍとし、赤外光ＩＲの波長を酸化ヘモグロビンとヘモグロビンとの吸光係数が等しい８１５ｎｍとすると、酸化ヘモグロビンとヘモグロビンとの比率が変化しても赤外光ＩＲの透過光量は変化しないこととなる。一方、赤色光Ｒの透過光量はヘモグロビンが多いと小さくなり、酸化ヘモグロビンが多いと大きくなる。つまり、透過光量の比をとれば酸素飽和度を求めることができる。
【００５３】
生体情報測定装置２は、このようなヘモグロビンと酸化ヘモグロビンとの赤色光Ｒと赤外光ＩＲとに対する吸光特性の違いを利用して血中酸素飽和度を求めるものである。なお、ヘモグロビンと酸化ヘモグロビンとの赤色光Ｒと赤外光ＩＲとに対する吸光特性の違いを利用して脈拍数も求めることができる。
【００５４】
生体に光を照射すると、光の一部は吸収され、残りは透過する。生体は、動脈血層と、静脈血層と、動脈血層及び静脈血層以外の組織とで構成されている。生体における光の吸収は、図４（ａ）に示すように、動脈血層及び静脈血層以外の組織による吸収、静脈血層による吸収及び動脈血層による吸収より成る。動脈血層及び静脈血層以外の組織と静脈血層とは経時的に変化しないため、この部分での光の吸収は略一定である。
【００５５】
一方、動脈血層は心拍動によって径が変化し、血管の径が変化するため、動脈血層による光の吸収は、図４（ｂ）に示すように脈拍による経時的に変動する。つまり、透過光強度の変化分は、動脈血のみの情報によるものであって、動脈血層及び静脈血層以外の組織と静脈血層とによる影響はほとんど含まれないと考えられる。図４（ｂ）において、横軸は時間、縦軸は透過光強度である。
【００５６】
赤色光Ｒ及び赤外光ＩＲの光量変化を比較する場合、入射光量の差をキャンセルする必要がある。図５は、生体に入射する入射光と透過光との関係を模式的に示す図である。
【００５７】
図５（ａ）に示すように、生体への入射光量Ｉ０を赤色光Ｒと赤外光ＩＲとで同一にすることは実質的に困難であり、仮に同一にしても組織や静脈血による吸光率は赤色光Ｒと赤外光ＩＲとで異なるため、動脈血層による透過光強度の変化分のみを比較することはできない。
【００５８】
ここで、動脈が一番細い場合（透過光量が最も大きくなる場合）の透過光量をＩとし、動脈が最も太い場合（透過光量が最も小さくなる場合）の透過光量を（Ｉ−ΔＩ）とする。図５（ｂ），（ｃ）に示すように、厚さΔＤの動脈血に光量Ｉの光を照射したとき、透過光量（Ｉ−ΔＩ）の透過光が得られると考えられる。
【００５９】
そして、図６に示すように、酸素飽和度演算部２３は、赤色光Ｒの透過光量ＩＲと赤外光ＩＲの透過光量ＩＩＲとが一致するように正規化する（ＩＩＲ’＝ＩＲ）ことにより、動脈血による光量変化の比（ΔＩＲ／ＩＲ）／（ΔＩＩＲ／ＩＩＲ）を算出し、酸素飽和度を算出する。
【００６０】
入射光と反射光との関係は、ランバート・ビアの法則により、下記数２で表すことができる。
【００６１】
【数２】
2008167818.tif 000004
【００６２】
なお、Ｅは吸光物の吸光係数、Ｃは吸光物の濃度を表す。
【００６３】
赤色光Ｒ及び赤外光ＩＲの各波長を前記数２に代入し、各辺の比をとることにより、下記数３式を得ることができる。
【００６４】
【数３】
2008167818.tif 000005
【００６５】
なお、ＩＲは、赤色光Ｒの透過光量、ＩＩＲは、赤外光ＩＲの透過光量、ＥＲは、赤色光Ｒの吸光係数、ＥＩＲは、赤外光ＩＲの吸光係数を表す。
【００６６】
図７は、例えば赤色光Ｒ及び赤外光ＩＲの各波長を、それぞれ６６０ｎｍ及び８１５ｎｍとしたときにおける、吸光係数の比（ＥＲ／ＥＩＲ）と酸素飽和度ＳｐＯ２との関係を示すグラフである。図７に示すように、酸素飽和度ＳｐＯ２は、吸光係数の比（ＥＲ／ＥＩＲ）の低下に比例して増大していく。
【００６７】
以上のようにして酸素飽和度演算部２３は酸素飽和度を算出すると、この酸素飽和度のデータを記憶部２０に記録するとともに、生体情報測定装置２がＰＣ３と通信可能に接続されて該ＰＣ３から要求があった場合に、該データをＰＣ３に送信する処理を通信部１９に行わせる。なお、本実施形態で示した酸素飽和度以外には、心電計におけるＲＲ間隔や睡眠時無呼吸指数（ＯＤＩ）など、光電脈波信号に基づき周知技術で導出される生体情報に係るデータも含まれる。
【００６８】
図２に戻り、ＧＰＳ制御部２４は、ＧＰＳ部２５の動作を制御するものであり、本実施形態では、スタートボタンにより酸素飽和度の測定開始の指示が入力されると、測定部６による測定動作を行う前に、前記ＧＰＳ部２５に現在位置情報の取得動作を行わせ、ストップボタンにより測定終了の指示が入力されると、前記ＧＰＳ部２５の動作を終了させる。
【００６９】
記憶部２０は、酸素飽和度演算部２３により算出された酸素飽和度のデータを、ＧＰＳ部２５により算出された現在位置に対応付けて記憶するものである。なお、ＧＰＳ部２５により算出された現在位置に対応付けて記憶する対象は、酸素飽和度演算部２３により算出された酸素飽和度のデータに限らず、Ａ／Ｄ変換部１７から出力されるデジタルの光電脈波信号でもよい。
【００７０】
図８は、ＰＣ３の電気的な構成を示すブロック図である。図８に示すように、ＰＣ３は、表示部１２と、入力操作部１３と、通信部２６と、外部記憶部２７と、制御部２８とを有する。入力操作部１３及び表示部１２は、図１に示す入力操作部１３及び表示部１２に相当するものである。
【００７１】
通信部２６は、ＲＳ−２３２Ｃ，ＵＳＢ，ＩｒＤＡ等のインターフェースで構成され、生体情報測定装置２との間で通信線１１及び絶縁部１５を介してデータの通信を行うものである。
【００７２】
外部記憶部２７は、ハードディスク、ＵＳＢメモリ、ＣＤ（Compact Disc）、ＤＶＤ（Digital Versatile Disc）、フロッピーディスク（登録商標）等からなり、通信部２６により受信したデータを記憶するものである。
【００７３】
制御部２８は、マイクロコンピュータからなり、上述したＰＣ３内の各部材の駆動を関連付けて制御するものである。また、制御部２８は、機能的に、格納処理部２９と、解析部３０と、表示制御部３１とを備える。
【００７４】
格納処理部２９は、通信部２６を介して生体情報測定装置２から受信した酸素飽和度のデータを外部記憶部２７に格納するものである。解析部３０は、格納処理部２９に格納された酸素飽和度のデータを用いて、予め定められた解析内容に応じた解析値を導出するものである。表示制御部３１は、解析部３０の解析結果を例えばグラフ形式で表示部１２に表示させるものである。
【００７５】
次に、生体情報測定装置２及びＰＣ３における動作・処理について説明を行う。図９は、生体情報測定装置２により行われる一連の測定動作を示すフローチャートであり、図１０は、この測定動作を示すタイムチャートである。
【００７６】
図９、図１０に示すように、被験者によりスタートボタンが操作されると（ステップ♯１でＹＥＳ）、制御部２８は、ＧＰＳ部２５に現在位置の測定動作を行わせ（ステップ♯２）、酸素飽和度の測定動作を行わせる（ステップ♯３）。そして、制御部２８は、測定動作により得られた酸素飽和度の情報を現在位置の情報と対応付けて記憶部２０に記録する（ステップ♯４）。
【００７７】
そして、制御部２８は、ストップボタンが操作されたか否かを判断し（ステップ♯５）、ストップボタンが操作されていない場合には（ステップ♯５でＮＯ）、ステップ♯２の処理に戻る一方、ストップボタンが操作された場合には（ステップ♯５でＹＥＳ）、一連の処理を終了する。
【００７８】
図１１は、生体情報測定装置２がＰＣ３と通信可能に接続された場合に、生体情報測定装置２とＰＣ３との間で行われる通信処理を示すフローチャートである。
【００７９】
生体情報測定装置２とＰＣ３とが通信線１１及び絶縁部１５を介して通信可能に接続されると、図１０に示す処理が実行可能となる。図１０に示すように、生体情報測定装置２においては、ＰＣ３と信線１１及び絶縁部１５により接続された状態で電源が投入され、通信可能な状態となると、（ステップ♯１１でＹＥＳ）、制御部１８は、通信部１９等の初期化処理を行い（ステップ♯１２）、酸素飽和度のデータの送信を指示する旨の信号（以下、送信指示信号という）がＰＣ３から送信されるのを待機する（ステップ♯１３でＮＯ）。
【００８０】
一方、ＰＣ３においては、電源が投入されると、（ステップ♯２１でＹＥＳ）、制御部２８は、生体情報測定装置２からのデータのダウンロードを指示する入力が行われるまで待機する（ステップ♯２２でＮＯ）。そして、ダウンロードを指示する入力が行われると（ステップ♯２２でＹＥＳ）、制御部２８は、前記送信指示信号を生体情報測定装置２に送信する処理を行い（ステップ♯２３）、生体情報測定装置２から酸素飽和度のデータを受信するまで待機する（ステップ♯２４でＮＯ）。
【００８１】
生体情報測定装置２において、ＰＣ３から前記送信指示信号を受信すると（ステップ♯１３でＹＥＳ）、制御部１８は、酸素飽和度のデータを記憶部２０から読み出してＰＣ３に送信する処理を行う（ステップ♯１４）。その後、制御部１８は、生体情報測定装置２の電源がオフされるまで（ステップ♯１５でＮＯ）、ステップ♯１３〜♯１５の処理を繰り返し実行し、その電源がオフされると（ステップ♯１５でＹＥＳ）、一連の処理を終了する。
【００８２】
ＰＣ３において、生体情報測定装置２から瞬間酸素飽和度のデータを受信すると（ステップ♯２４でＹＥＳ）、制御部２８は、この酸素飽和度のデータを外部記憶部２７に格納する（ステップ♯２５）。そして、制御部２８は、プログラムの起動を終了する指示が入力されたか否かを判断し（ステップ♯２６）、プログラムの起動を終了する指示が入力されていない場合には（ステップ♯２６でＮＯ）、ステップ♯２２の処理に戻る一方、プログラムの起動を終了する指示が入力された場合には（ステップ♯２６でＹＥＳ）、一連の処理を終了する。
【００８３】
図１２は、ＰＣ３により行われる処理を示すフローチャートである。
【００８４】
図１２に示すように、外部記憶部２７に酸素飽和度のデータが格納された後に、予め定められた解析内容に係る解析処理の指示が入力されると（ステップ♯３１でＹＥＳ）、制御部２８は、酸素飽和度のデータに対して解析処理を実行し（ステップ♯３２）、その解析結果を表示部１２に表示する（ステップ♯３３）。
【００８５】
以上のように、測定部６の現在位置を示す現在位置情報を、測定した酸素飽和度の情報に対応付けて記憶する機能を生体情報測定装置１に搭載したので、酸素飽和度の情報を取得したときの被験者の状態（居場所、環境、動作など）に係る情報を医療専門家や被験者に提供することができる。その結果、医療専門家や被験者は、より適切な解析を行うことができる。
【００８６】
次に、本発明の変形形態（第２〜第６の実施形態）について説明する。以下に説明する各実施形態は、前記第１の実施形態とＧＰＳ部２５の動作に係る態様が主に異なるものであり、図１、図２に示す構成は略共通するものである。したがって、各実施形態につき前記第１の実施形態との相違点についてのみ説明し、第１の実施形態と共通する部分の説明については省略する。
【００８７】
（第２の実施形態）
第２の実施形態は、酸素飽和度の測定中に、現在位置情報の測定及び記録を所定時間毎に（定期的に）実行するものである。図１３は、本実施形態における生体情報測定装置２により行われる一連の測定動作を示すフローチャート、図１４は、本実施形態における生体情報測定装置２により行われる一連の測定動作を示すタイムチャートである。
【００８８】
図１３、図１４に示すように、被験者によりスタートボタンが操作されると（ステップ♯４１でＹＥＳ）、制御部１８は、ＧＰＳ部２５に現在位置の測定動作を行わせ（ステップ♯４２）、現在位置情報を記憶部２０に記録し（ステップ♯４３）、酸素飽和度の測定を開始する（ステップ♯４４）。
【００８９】
そして、制御部１８は、酸素飽和度が得られると、該酸素飽和度の情報を記憶部２０に記録する（ステップ♯４５）。その際、制御部１８は、前記酸素飽和度の情報を、測定された現在位置情報のうち最近の現在位置情報に対応付けて記憶部２０に記録する。次に、制御部１８は、前回の現在位置の測定から所定時間が経過したか否かを判断し（ステップ♯４６）、所定時間が経過していないと判断した場合には（ステップ♯４６でＮＯ）、ステップ♯４４の処理に戻り、所定時間が経過したと判断すると（ステップ♯４６でＹＥＳ）、ＧＰＳ部２５に現在位置の測定動作を行わせ（ステップ♯４７）、現在位置情報を記憶部２０に記録する（ステップ♯４８）。
【００９０】
そして、制御部１８は、ストップボタンが操作されたか否かを判断し（ステップ♯４９）、ストップボタンが操作されていない場合には（ステップ♯４９でＮＯ）、ステップ♯４４の処理に戻る一方、ストップボタンが操作された場合には（ステップ♯４９でＹＥＳ）、一連の処理を終了する。
【００９１】
これにより、酸素飽和度の情報を取得した時点での測定部６の位置変化に係る情報を医療専門家等に詳細に提供することができ、得られた酸素飽和度の情報についてより適切な解析を行うことができる。
【００９２】
（第３の実施形態）
第３の実施形態は、特定の場所（予め登録した場所）においてのみ酸素飽和度の測定を実行するものであり、本実施形態では、入力操作部１０は、現在位置を登録する指示を入力するための現在位置登録ボタン１０ａを有し（図２参照）、該現在位置登録ボタン１０ａに対して操作がなされると、ＧＰＳ部２５により現在位置が緯度及び経度として算出され、該現在位置を示す情報が記憶部２０に記憶されるようになっている。
【００９３】
図１５は、本実施形態における生体情報測定装置２により行われる一連の測定動作を示すフローチャート、図１６は、本実施形態における生体情報測定装置２により行われる一連の測定動作を示すタイムチャートである。なお、図１５に示す処理を実行する前に、特定の場所が生体情報測定装置２に予め登録されているものとする。
【００９４】
図１５、図１６に示すように、被験者によりスタートボタンが操作されると（ステップ♯５１でＹＥＳ）、制御部１８は、ＧＰＳ部２５に現在位置の測定動作を行わせ（ステップ♯５２）、場所の検索処理を行って（ステップ♯５３）、現在位置が予め登録されている場所であるか否かを判断する（ステップ♯５４）。
【００９５】
その結果、制御部１８は、現在位置が予め登録されている場所でないと判断した場合には（ステップ♯５４でＮＯ）、ステップ♯５２に戻る一方、登録されている場所であると判断した場合には（ステップ♯５４でＹＥＳ）、酸素飽和度の測定動作を行わせ（ステップ♯５５）、該測定動作により得られた酸素飽和度の情報を現在位置の情報と対応付けて記憶部２０に記録する（ステップ♯５６）。
【００９６】
そして、制御部１８は、ストップボタンが操作されたか否かを判断し（ステップ♯５７）、ストップボタンが操作されていない場合には（ステップ♯５７でＮＯ）、ステップ♯５２の処理に戻る一方、ストップボタンが操作された場合には（ステップ♯５７ＹＥＳ）、一連の処理を終了する。
【００９７】
図１６は、当該生体情報測定装置２に予め登録されている場所が「場所Ｂ」のみであり、生体情報測定装置２のスタートボタンがＯＮである場合に、現在位置が「場所Ｂ」であるときのみ、酸素飽和度の測定動作及び該測定動作により得られた酸素飽和度の情報を現在位置（場所Ｂ）の情報と対応付けて記憶部２０に記録する記録動作を実行することを示している。
【００９８】
このように、測定場所を予め生体情報測定装置２に登録しておくことのできる機能を該装置２に搭載し、ＧＰＳ部２５により測定した現在位置が予め登録場所と一致する場合に、酸素飽和度の測定動作を行って該測定動作により得られた酸素飽和度の情報を、現在位置を示す情報に対応付けて記憶するようにしたので、被験者の行動態様や居場所に応じたより正確な被験者の酸素飽和度について解析することができ、その結果、得られた酸素飽和度の情報についてより適切な解析を行うことができる。
【００９９】
（第４の実施形態）
第４の実施形態は、測定した酸素飽和度が異常値である場合のみ、該異常値の情報に現在位置情報を対応付けて記憶部２０に記録するものである。図１７は、本実施形態における生体情報測定装置２により行われる一連の測定動作を示すフローチャートである。
【０１００】
図１７に示すように、被験者によりスタートボタンが操作されると（ステップ♯６１でＹＥＳ）、制御部１８は、酸素飽和度の測定を実行し（ステップ♯６２）、該酸素飽和度の情報を記憶部２０に記録し（ステップ♯６３）、この記録した酸素飽和度に対して予め定められた解析処理を実行する（ステップ♯６４）。
【０１０１】
制御部１８は、ステップ♯６４で得られた解析値が異常値であるか否かを判断し（ステップ♯６５）、異常値である場合には（ステップ♯６５でＹＥＳ）、ＧＰＳ部２５に現在位置の測定動作を行わせ（ステップ♯６６）、前記解析値を現在位置情報に対応付けて記憶部２０に記録する（ステップ♯６７）一方、前記解析値が正常値である場合には（ステップ♯６５でＮＯ）、ステップ♯６６，♯６７の処理をとばす。
【０１０２】
そして、制御部１８は、ステップ♯６５又は♯６７の処理後、ストップボタンが操作されたか否かを判断し（ステップ♯６８）、ストップボタンが操作されていない場合には（ステップ♯６８でＮＯ）、ステップ♯６２の処理に戻る一方、ストップボタンが操作された場合には（ステップ♯６８ＹＥＳ）、一連の処理を終了する。
【０１０３】
これにより、酸素飽和度が異常な状態となったときの被験者の状態情報を医療専門家等に提供することができ、得られた酸素飽和度についてより適切な解析を行うことができる。
【０１０４】
（第５の実施形態）
第５の実施形態は、酸素飽和度だけでなく他の生体情報も測定可能に構成されている生体情報測定装置であり、測定する生体情報と場所とを対応付け、登録された場所にいるときのみ、その場所に対応付けられた生体情報を測定できるように構成されているものである。本実施形態では、第３の実施形態と同様、入力操作部１０は、現在位置を登録する指示を入力するための現在位置登録ボタン１０ａを有し（図２参照）、生体情報の種類が選択された上で、該現在位置登録ボタン１０ａに対して操作がなされると、ＧＰＳ部２５により現在位置が緯度及び経度として算出され、該現在位置を示す情報が、選択された種類の生体情報に対応付けて記憶部２０に記憶されるようになっている。なお、以下の説明においては、生体情報測定装置２が測定可能な種類の生体情報を「生体情報Ａ」，「生体情報Ｂ」とし、「生体情報Ａ」は「場所Ａ」に対応付けられ、「生体情報Ｂ」は「場所Ｂ」にそれぞれ予め対応付けられて登録されているものとする。場所Ａ，Ｂは、例えば、被験者の自宅における風呂場、寝室、トイレ、居間とか、病院内における病室、トイレ、待合スペース等が想定される。
【０１０５】
図１８は、本実施形態における生体情報測定装置２により行われる一連の測定動作を示すフローチャート、図１９は、本実施形態における生体情報測定装置２により行われる一連の測定動作を示すタイムチャートである。
【０１０６】
図１８、図１９に示すように、被験者によりスタートボタンが操作されると（ステップ♯７１でＹＥＳ）、制御部１８は、ＧＰＳ部２５に現在位置の測定動作を行わせ（ステップ♯７２）、現在位置を判定する（ステップ♯７３）。
【０１０７】
そして、制御部１８は、ステップ♯７３で判定した場所が「場所Ａ」であるか否かを判断し（ステップ♯７４）、「場所Ａ」であると判断した場合には（ステップ♯７４でＹＥＳ）、「生体情報Ａ」の測定動作を実行し（ステップ♯７５）、この測定動作で得られた測定値を「場所Ａ」を示す情報と対応付けて記憶部２０に記録する（ステップ♯７６）。
【０１０８】
制御部１８は、ステップ♯７３で判定した場所が「場所Ａ」でないと判断した場合には（ステップ♯７４でＮＯ）、ステップ♯７３で判定した場所が「場所Ｂ」であるか否かを判断し（ステップ♯７７）、「場所Ｂ」であると判断した場合には（ステップ♯７７でＹＥＳ）、「生体情報Ｂ」の測定動作を実行し（ステップ♯７８）、この測定動作で得られた測定値を「場所Ｂ」を示す情報と対応付けて記憶部２０に記録する（ステップ♯７９）。
【０１０９】
また、制御部１８は、ステップ♯７３で判定した場所が「場所Ｂ」でもないと判断した場合には（ステップ♯７７でＮＯ）、ステップ♯７８，♯７９の処理をとばす。
【０１１０】
そして、制御部１８は、ステップ♯７７又は♯７９の処理後、ストップボタンが操作されたか否かを判断し（ステップ♯８０）、ストップボタンが操作されていない場合には（ステップ♯８０でＮＯ）、ステップ♯７２の処理に戻る一方、ストップボタンが操作された場合には（ステップ♯８０でＹＥＳ）、一連の処理を終了する。
【０１１１】
これにより、各測定場所に適した生体情報を提供することができるため、得られた生体情報に係るデータについて各測定場所に応じた適切な解析を行うことができる。
【０１１２】
（第６の実施形態）
第６の実施形態は、ＧＰＳ部２５から得られる現在位置情報から、該ＧＰＳ部２５が搭載された生体情報測定装置２の移動速度（ひいては該生体情報測定装置２を装着する被験者の移動速度）を算出し、測定した生体情報をその移動速度に対応付けて記憶するようにしたものである。図２０は、本実施形態における生体情報測定装置２により行われる一連の測定動作を示すフローチャート、図２１は、本実施形態における生体情報測定装置２により行われる一連の測定動作を示すタイムチャートである。
【０１１３】
図２０、図２１に示すように、被験者によりスタートボタンが操作されると（ステップ♯８１でＹＥＳ）、制御部１８は、ＧＰＳ部２５に現在位置の測定動作を行わせ（ステップ♯８２）、酸素飽和度の測定動作を開始させる（ステップ♯８３）。また、制御部１８は、計時動作を行う図略のタイマを備えており、該タイマにより計時動作を開始する（ステップ♯８４）。
【０１１４】
そして、制御部１８は、タイマによる計時時間が所定時間に達したか否かを判断し（ステップ♯８５）、達していない場合には待機し（ステップ♯８５でＮＯ）、達した場合には（ステップ♯８５でＹＥＳ）、ＧＰＳ部２５に現在位置の測定動作を行わせ（ステップ♯８６）、前記タイマを一旦リセットして再度計時動作を開始させる（ステップ♯８７）。
【０１１５】
ここで、ＧＰＳ部２５により前回測定された現在位置と今回測定された現在位置とから該ＧＰＳ部２５が搭載された生体情報測定装置２の移動距離を算出することができ、また、ＧＰＳ部２５による測定周期は予め判明していることから、これらの現在位置と測定周期とから、ＧＰＳ部２５により前回測定された現在位置から今回測定された現在位置までの移動速度を算出することができる。
【０１１６】
制御部１８は、これを用いて前記移動速度を算出し（ステップ♯８８）、ＧＰＳ部２５による前回測定動作から今回の測定動作までの期間に測定された酸素飽和度の情報を、前記移動速度情報に対応付けて記憶部２０に記録する（ステップ♯８９）。
【０１１７】
そして、制御部１８は、ストップボタンが操作されたか否かを判断し（ステップ♯９０）、ストップボタンが操作されていない場合には（ステップ♯９０でＮＯ）、ステップ♯８５の処理に戻る一方、ストップボタンが操作された場合には（ステップ♯９０でＹＥＳ）、一連の処理を終了する。
【０１１８】
このように、ＧＰＳ部２５から得られる現在位置情報を用いて生体情報測定装置２の移動速度を算出するようにしたので、酸素飽和度の測定時における被験者の運動量（歩行・走行の区別やそのスピードなど）を提供することができ、その被験者の運動量と生体情報に係るデータとの関係を解析することができる。その結果、得られた生体情報に係るデータについて被験者の運動量に応じた適切な解析を行うことができる。
【０１１９】
なお、本件は、前記各実施形態の内容に加えて、またはそれに代えて次の実施形態も採用可能である。
【０１２０】
（１）前記実施形態では、装置本体にＧＰＳ部２５が内蔵されているタイプについて説明したが、これに限らず、図２２に示すように、生体情報を測定する測定ユニット４０，４１（測定ユニット４０は例えばパルスオキシメータ、測定ユニット４１は例えば心電計）と、現在位置情報を測定するＧＰＳユニット４２とが無線通信可能に別体化されており、例えばＧＰＳユニット４２に前記記憶部２０が搭載されていて、測定ユニット４０，４１による測定動作により得られたデータをＧＰＳユニット４２に無線で送信し、記憶部２０が、このデータとＧＰＳユニット４２により測定された現在位置情報とを対応付けて記憶する構成も採用可能である。
【０１２１】
（２）前記各実施形態では、生体情報測定装置２の現在位置情報をＧＰＳ部２５等により緯度・経度で測定するようにしたが、生体情報測定装置２の現在位置を測定する装置は、人工衛星からの電波をもとに生体情報測定装置２の現在位置を緯度及び経度で算出するものに限らず、例えば或る病院の屋内とか被験者の自宅の屋内など限定された範囲（空間）を現在位置の測定対象範囲とするものであってもよい。例えば、被験者の自宅の屋内に複数のＩＣタグ（場所を識別可能なデータを記憶している）を適所に設置するとともに、ＩＣタグリーダーを搭載する生体情報測定装置２を構成し、ＩＣタグリーダーが読み取った上記いずれかのＩＣタグの識別情報に基づいて、前記生体情報測定装置２を装着した被験者の自宅内での位置を検出する構成が想定される。
【０１２２】
（３）本件における生体情報は、酸素飽和度に限られず、不整脈、血管年齢、睡眠状態、血圧、脈波、体温、黄疸状態、睡眠時無呼吸症候群に係る症状等も含み、従って、生体情報測定装置２としては、パルスオキシメータに限られず、上記症状を測定するための心電計、血圧計、体温計、黄疸計等を含む。
【０１２３】
（４）測定部と装置本体とは、ケーブル５を介して有線で通信する形態に限らず、例えばブルートゥース（Ｂｌｕｅｔｏｏｔｈ）等の通信規格を用いた無線通信で通信を行う形態も想定される。
【０１２４】
（５）ＧＰＳ部２５により測定した緯度及び経度を提供する際に、緯度情報及び経度情報そのものをＰＣ３の表示部１２に表示する態様に限られず、表示部１２に地図を表示し、該地図上での位置を示す態様も想定される。
【図面の簡単な説明】
【０１２５】
【図１】本発明に係る生体情報測定システムの構成を示す図である。
【図２】生体情報測定装置の電気的な構成を示すブロック図である。
【図３】ヘモグロビン及び酸化ヘモグロビンの吸光特性を示すグラフである。
【図４】生体による光の吸収を示す図である。
【図５】生体に入射する入射光と透過光との関係を模式的に表す図である。
【図６】赤外光による透過光量の正規化を説明するための図である。
【図７】吸光係数の比と酸素飽和度との関係を示す図である。
【図８】パーソナルコンピュータの電気的な構成を示すブロック図である。
【図９】本発明の第１の実施形態に係る一連の測定動作を示すフローチャートである。
【図１０】本発明の第１の実施形態に係る一連の測定動作を示すタイムチャートである。
【図１１】生体情報測定装置がＰＣとの間で行われる通信処理を示すフローチャートである。
【図１２】ＰＣにより行われる処理を示すフローチャートである。
【図１３】本発明の第２の実施形態に係る一連の測定動作を示すフローチャートである。
【図１４】本発明の第２の実施形態に係る一連の測定動作を示すタイムチャートである。
【図１５】本発明の第３の実施形態に係る一連の測定動作を示すフローチャートである。
【図１６】本発明の第３の実施形態に係る一連の測定動作を示すタイムチャートである。
【図１７】本発明の第４の実施形態に係る一連の測定動作を示すフローチャートである。
【図１８】本発明の第５の実施形態に係る一連の測定動作を示すフローチャートである。
【図１９】本発明の第５の実施形態に係る一連の測定動作を示すタイムチャートである。
【図２０】本発明の第６の実施形態に係る一連の測定動作を示すフローチャートである。
【図２１】本発明の第６の実施形態に係る一連の測定動作を示すタイムチャートである。
【図２２】生体情報測定システムの変形形態を示す図である。
【符号の説明】
【０１２６】
１    生体情報測定システム
２    生体情報測定装置
４    装置本体
５    ケーブル
６    測定部
７    発光部
８    受光部
９    表示部
１０  入力操作部
１０ａ  現在位置登録ボタン
１１  通信線
１２  表示部
１８  制御部
１９  通信部
２０  記憶部
２１  測定制御部
２３  酸素飽和度演算部
２４  制御部
２５  ＧＰＳ部
２６  通信部
２７  外部記憶部
２８  制御部
２９  格納処理部
３０  解析部
３１  表示制御部
４０，４１  測定ユニット
４２  ＧＰＳユニット
【図１】
2008167818.tif 000006
【図２】
2008167818.tif 000007
【図３】
2008167818.tif 000008
【図４】
2008167818.tif 000009
【図５】
2008167818.tif 000010
【図６】
2008167818.tif 000011
【図７】
2008167818.tif 000012
【図８】
2008167818.tif 000013
【図９】
2008167818.tif 000014
【図１０】
2008167818.tif 000015
【図１１】
2008167818.tif 000016
【図１２】
2008167818.tif 000017
【図１３】
2008167818.tif 000018
【図１４】
2008167818.tif 000019
【図１５】
2008167818.tif 000020
【図１６】
2008167818.tif 000021
【図１７】
2008167818.tif 000022
【図１８】
2008167818.tif 000023
【図１９】
2008167818.tif 000024
【図２０】
2008167818.tif 000025
【図２１】
2008167818.tif 000026
【図２２】
2008167818.tif 000027